(57)【要約】【課題】  本発明は、撮影対象を撮影するレンズと撮像素子を含むカメラを搭載した携帯端末に関し、携帯端末で相手を撮影するときに相手側から見える第１の画面に鏡に写ったように画像を表示あるいは撮影状態を表すステータスを表示すると共に、撮影者から見える第２の画面に画像を表示し、撮影時に被撮影者が撮影される画像や撮影状態の確認を可能にすることを目的とする。【解決手段】レンズを設けた側と同じ側に設けた第１の画面と、レンズを設けた側と異なる側に設けた第２の画面と、被撮影対象にレンズを向けて撮影する場合に、第２の画面に被撮影対象の画像を表示し、第１の画面には被撮影対象の画像を縮小あるいは切り出して表示する手段とを備えた携帯端末である。【選択図】  図１
2007143169.tif 000002
【特許請求の範囲】
【請求項１】
撮影対象を撮影するレンズと撮像素子を含むカメラを搭載した携帯端末において、
前記レンズを設けた側と同じ側に設けた第１の画面と、
前記レンズを設けた側と異なる側に設けた第２の画面と、
被撮影対象に前記レンズを向けて撮影する場合に、前記第２の画面に前記被撮影対象の画像を表示し、前記第１の画面には前記被撮影対象の画像を縮小あるいは切り出して表示する手段と
を備えたことを特徴とする携帯端末。
【発明の詳細な説明】
【技術分野】
【０００１】
本発明は、撮影対象を撮影するレンズと撮像素子を含むカメラを搭載した携帯端末に関するものである。携帯端末は、例えばノート型パーソナルコンピュータ、ＰＤＡ(Personal Digital Assistant)、携帯電話機等のカメラにて撮影した画像をデジタル処理して当該携帯端末の表示器に表示するものである。
【背景技術】
【０００２】
従来、携帯電話機にＣＣＤなどの撮像素子を持つ超小型のカメラを搭載し、撮影した画像を電子メールに添付して送付することが行われている。折り畳み式の携帯電話機では、開いた状態で、例えば携帯電話機の外側に設けたカメラのレンズを友達に向け、当該携帯電話機の内側に設けた表示器に当該撮影した画像を表示し、丁度適切な大きさ、位置に写るように調整し、シャッタキーを押下して撮影し、更に、電子メールに添付して送信したりなどしている。
【０００３】
また、携帯電話機を持っている人の自分の顔を撮影する場合には、携帯電話機を折り畳んだ状態で外側に位置するレンズを自分に向け、当該外側に設けた曜日などを表示する小さなサブ表示器に撮影した自分の顔の画像を表示し、シャッタキーを押下して撮影し、更に、電子メールに添付して送信したりなどしている。
【発明の開示】
【発明が解決しようとする課題】
【０００４】
上述したように、従来は、
（１）  相手を撮影するときには、携帯電話機の外側のレンズを相手に向けて撮影し、その画像を内側の表示器に表示し、いわば相手の画像がスルーしたように見えるように、内側の表示器に表示していた。
【０００５】
（２）  自分を撮影するときには、携帯電話機を閉じ、外側のレンズを自分に向けて撮影し、その画像をレンズと同じ外側にある曜日などを表示する小さなサブ表示器に表示し、いわば自分の画像が鏡に反射して見えるように、外側のサブ表示器に表示していた。
【０００６】
このため、相手を撮影する場合には、自分（撮影者）は携帯電話機の内側の表示器に表示された相手の画像を見て、表情などを確認できるが、しかし、相手はどのような表情やサイズで撮影されているのか不明で、撮影してからその画像を表示させて見せてもらい、確認などするしか方法がないという問題があった。
【０００７】
本発明は、これらの問題を解決するため、携帯端末で相手を撮影するときに相手側から見える第１の画面に鏡に写ったように画像を表示あるいは撮影状態を表すステータスを表示すると共に、撮影者から見える第２の画面に画像を表示し、撮影時に被撮影者が撮影される画像や撮影状態の確認を可能にすることを目的としている。
【課題を解決するための手段】
【０００８】
図１を参照して課題を解決するための手段を説明する。
図１において、携帯端末１は、メインＬＣＤ２，シャッタ３，４２、サブＬＣＤ５、カメラ６などを設けたものである。
【０００９】
メインＬＣＤ２は、携帯端末１の内側の表示器に相当し、カメラ６を構成するレンズと異なる側、つまり反対側に設けた画面（第２の画面）である。
【００１０】
シャッタキー４２あるいはシャッタ３は、カメラ６のシャッタを動作させて画像を撮影するものである。
【００１１】
サブＬＣＤ５は、携帯端末１の外側の表示器に相当し、カメラ６を構成するレンズと同じ側に設けた画面（第１の画面）である。
【００１２】
カメラ６は、レンズと撮像素子などから構成され、被写体を撮影して画像を生成するものである。
【００１３】
次に、構成および動作を説明する。
携帯端末１は、カメラ６を構成するレンズを設けた側と同じ側に第１の画面であるサブＬＣＤ５およびカメラ６を構成するレンズを設けた側と反対側に設けた第２の画面であるメインＬＣＤ２を配置し、制御部８が被撮影対象にレンズを向けて撮影した画像をメインＬＣＤ２に表示、およびサブＬＣＤ５に当該撮影した画像あるいは撮影状態を表すステータスを表示するようにしている。
【００１４】
この際、メインＬＣＤ２に被撮影対象を見るスルー画像を表示し、サブＬＣＤ５に画像を表示するときは被撮影対象から見て鏡に映った左右反転画像を表示するようにしている。
【００１５】
また、シャッタキー４２あるいはシャッタ３が押下されたときに、メインＬＣＤ２に撮影された静止した画像を表示すると共にサブＬＣＤ５に画像を表示するときは静止した画像を表示あるいはステータスを表示するときは撮影完了状態のステータスを表示するようにしている。
【００１６】
また、サブＬＣＤ６に画像を表示する場合には、画像を縮小あるいは切り出して表示するようにしている。
【００１７】
また、サブＬＣＤ５に画像あるいはテータスを切り替えて表示させる切替手段を設けるようにしている。
【００１８】
従って、携帯端末１で相手を撮影するときに相手側から見える第１の画面であるサブＬＣＤ５に鏡に写ったように画像を表示あるいは撮影状態を表すステータスを表示すると共に、撮影者から見える第２の画面であるメインＬＣＤ２に画像を表示することにより、撮影時に被撮影者が撮影される画像や撮影状態を確認することが可能となる。
【発明の効果】
【００１９】
本発明は、携帯端末１で相手を撮影するときに相手側から見える第１の画面（サブＬＣＤ５）に鏡に写ったように画像を表示あるいは撮影状態を表すステータスを表示すると共に、撮影者から見える第２の画面（メインＬＣＤ２）に画像（スルー画像）を表示する構成を採用しているため、撮影時に被撮影者が撮影される画像や撮影状態を確認することが可能となると共に、被撮影者と撮影者が当該費撮影者の画像を一緒に見て最適な感じや大きさに容易に調整などすることが可能となる。
【発明を実施するための最良の形態】
【００２０】
本発明は、携帯端末で相手を撮影するときに相手側から見える第１の画面に鏡に写ったように画像を表示あるいは撮影状態を表すステータスを表示すると共に、撮影者から見える第２の画面に画像を表示し、撮影時に被撮影者が撮影される画像や撮影状態の確認を可能にすることを実現した。
【実施例１】
【００２１】
次に、図１から図７を用いて本発明の実施の形態および動作を順次詳細に説明する。
図１は、本発明の概観図を示す。
【００２２】
図１の（ａ）はほぼ開いた状態の側面図を示し、図１の（ｂ）は開いた状態の正面図を示し、図１の（ｃ）は２つ折にして閉じた状態の正面図を示す。
【００２３】
図１において、携帯端末１は、図１の（ｂ）の開いた内側に示すように、上部に第２の画面であるメインＬＣＤ２などを設け、下部に入力装置４、制御部などを設けたものである。
【００２４】
メインＬＣＤ２は、携帯端末１が携帯電話機の場合には電話番号、送受信する画像などを表示する画面である。
【００２５】
制御部は、プログラムおよびハードウェア回路により各種制御（画像表示、送受信制御など）を行うものであり、図７を用いて後述するものである。
【００２６】
シャッタ３は、側面に設けて携帯端末１を２つ折りに畳んだときにカメラ６を動作させて撮影するためのものである。
【００２７】
入力装置４は、キーを押下して各種操作指示、電話番号の入力、電子メールの電文の入力などを行うものであって、ここでは、カメラキー４１、シャッタキー４２、メニューキー４３、電話帳キー４４、開始キー４５、カレンダキー４６、クリアキー４７、電源キー４８、およびテンキーなどから構成されるものである。
【００２８】
カメラキー４１は、押下してカメラモードを起動させるものである。
シャッタキー４２は、押下してカメラで撮影した画像を生成するものである。
【００２９】
クリアキー４７は、各種クリアを行うものであって、ここでは、撮影した画像をクリアするときに押下するものである。
【００３０】
アンテナ７は、電波を送受信するためのものである。ここでは、シャッタキー４２、シャッタ３を押下して撮影中に点灯し、被撮影者などに知らせるためのものである。
【００３１】
図２は、本発明の画面例を示す。
図２の（ａ）は、サブＬＣＤ５の例を示す。
【００３２】
図２の（ａ−１）は、画面のドット数を示す。ここでは、サブＬＣＤ５は、図示のように、縦方向の全体は９６ドット、画像を表示する部分が７２ドット、横方向の全体は６４ドットのサイズの画面である。
【００３３】
図２の（ａ−２）は、”撮影中です”というメッセージをサブＬＣＤ５に表示した状態を示す。この”撮影中です”というメッセージは、カメラ６で被撮影対象を撮影してその画像をメインＬＣＤ２に表示中である状態を表す（図４、図５参照）。
【００３４】
図２の（ａ−３）は、”表示中です”というメッセージをサブＬＣＤ５に表示した状態を示す。この”表示中です”というメッセージは、カメラ６で被撮影対象を撮影した静止画像をメインＬＣＤ２に表示中である状態を表す（図４、図５参照）。
【００３５】
図２の（ｂ）は、メインＬＣＤ２の例を示す。
図２の（ｂ−１）は、画面のドット数を示す。ここでは、メインＬＣＤ２は、図示のように、縦方向の全体は１７６ドット、画像を表示する部分が１４０ドット、横方向の全体は１３２ドットのサイズの画面である。
【００３６】
図２の（ｂ−２）は、”画像保存中”というメッセージを表示した状態を示す。この”画像保存中”というメッセージは、カメラ６で被撮影対象を撮影した静止画像をファイルに保存中（格納中）である状態を表す（図４、図５参照）。
【００３７】
図３は、本発明の表示画像イメージ図（上から見た図）を示す。
図３において、左側は撮影者５１であり、携帯端末１を手で持ってカメラ６のレンズを撮影者５２に向けて撮影する人であり、メインＬＣＤ２上に被撮影者５２を撮影したスルー画像（撮影者５１から被撮影者５２を直接に見た場合と同じような画像）が表示されている。 
【００３８】
右側の被撮影者５２は、携帯端末１のカメラ５のレンズを向けられて撮影されれる側の人であり、サブＬＣＤ５上に当該費撮影者を撮影して左右反転した画像（被撮影者５２が鏡に写ったと同じような左右反転した画像）が表示されている。
【００３９】
中央の携帯端末１は、既述した図１および図２の構成を持つ携帯端末であって、ここでは、上から下の方向に見た図を示す。
【００４０】
以上のように、撮影者５１が携帯端末１を手で持ってカメラ６のレンズを被撮影者５２に向けてカメラキー４１を押下してカメラモードにすると、図示のように、撮影者５１から見えるメインＬＣＤ２上にスルー画像が表示されると共に、被撮影者５２から見えるサブＬＣＤ５に左右反転画像が表示され、被撮影者５２は撮影されている画像の感じや大きさなどを、撮影者５１と同時にリアルタイムに認識でき、撮影中あるいは撮影した画像の共有を図ることが可能となる。
【００４１】
図４は、本発明の動作説明フローチャートを示す。ここで、メインＬＣＤ２、サブＬＣＤ５は図１から図３で説明した同一番号のものと同一である。携帯端末１は既述した携帯端末１に設けたキーを撮影者５１が押下するなどの操作したり、当該携帯端末１がキーが押下されたときに当該キーの押下を検出して処理を実行したりするなどである。
【００４２】
図４において、Ｓ１は、カメラキー４１を押下する。これは、撮影者５１が携帯端末１のカメラキー４１を押下する。当該押下に対応して、サブＬＣＤ５に文字表示”撮影中です”を表示すると共に、メインＬＣＤ２にスルー画像を表示する。
【００４３】
以上により、撮影者５１が携帯端末１を手で持ち、当該携帯端末１のカメラ６を構成するレンズを被撮影者５２に向けてカメラキー４１を押下すると、撮影者５１から見えるメインＬＣＤ２上に被撮影者のスルー画像が表示され、被撮影者５２から見えるサブＬＣＤ５上に現在、撮影中である文字が表示され当該被撮影者５２は自身が撮影中であることを認識できる。
【００４４】
Ｓ２は、撮影者５１が携帯端末１のシャッタキー４２あるいは携帯端末１の側面に設けたシャッタ３を押下（操作）する。当該押下に対応して、サブＬＣＤ５に文字表示”表示中です”を表示すると共に、メインＬＣＤ２に静止画を表示する。
【００４５】
以上により、撮影者５１が携帯端末１のカメラ６を構成するレンズを被撮影者５２に向けた状態で、シャッタキー４２あるいはシャッタ３を押下すると、撮影者５１から見えるメインＬＣＤ２上に被撮影者を撮影した静止画が表示され、被撮影者５２から見えるサブＬＣＤ５上に現在、撮影した静止画を表示中である文字が表示され当該被撮影者５２は自身が撮影された静止画が表示中であることを認識できる。
【００４６】
Ｓ３は、撮影者５１がメインＬＣＤ２上に表示されている撮影した静止画を見て、撮影した画像を保存するか判別する。ＹＥＳの場合には、Ｓ４に進む。ＮＯの場合には、保存しないと撮影者が決めたので、Ｓ６に進む。
【００４７】
Ｓ４は、Ｓ３のＹＥＳで撮影者が撮影した静止画を保存すると決めたので、シャッタキー４２あるいはシャッタ３を押下して保存を指示する。当該指示に対応して、サブＬＣＤ５上に文字表示”表示中です”を表示すると共に、メインＬＣＤ２上に文字表示”画像保存中”を表示する。
【００４８】
Ｓ５は、メモリに画像を保存する。
以上のＳ３のＹＥＳ，Ｓ４からＳ５により、撮影者５１がメインＬＣＤ２上に表示された静止画を見て、保存すると決めた場合に、シャッタキー４２あるいはシャッタ３を押下すると、サブＬＣＤ５には”表示中です”、メインＬＣＤ２には”画像保存中です”と表示され、かつ内部メモリなどに静止画が保存されることとなる。
【００４９】
また、Ｓ６は、Ｓ３のＮＯで撮影者が撮影した静止画を保存しないと決めたので、クリアキー４７を押下してクリアを指示する。
【００５０】
Ｓ７は、Ｓ６でクリアが指示されたことに対応して、作業メモリ上の静止画をクリアする。
【００５１】
以上のＳ３のＮＯ，Ｓ６，Ｓ７により、撮影者５１がメインＬＣＤ２上に表示された静止画を見て、保存しないと決めた場合に、クリアキー４７を押下すると、静止画がクリアされることとなる。
【００５２】
図５は、本発明の他の動作説明フローチャートを示す。これは、図４のフローチャートがサブＬＣＤ５に撮影中の状態を表す文字を表示したのに対し、当該図５では被撮影者５２の鏡に写った状態の左右反転画像を表示するようにしたものである。
【００５３】
図５において、Ｓ２１は、カメラキー４１を押下する。これは、撮影者５１が携帯端末１のカメラキー４１を押下する。当該押下に対応して、サブＬＣＤ５に文字表示”撮影中です”を表示すると共に、メインＬＣＤ２にスルー画像を表示する。
【００５４】
以上のＳ２１などにより、撮影者５１が携帯端末１を手で持ち、当該携帯端末１のカメラ６を構成するレンズを被撮影者５２に向けてカメラキー４１を押下すると、撮影者５１から見えるメインＬＣＤ２上に被撮影者のスルー画像が表示され、被撮影者５２から見えるサブＬＣＤ５上に左右反転画像が表示され、撮影者５１は被撮影者５２を撮影した画像をメインＬＣＤ２上で見ることができ、同時に、被撮影者５２は鏡に写ったと同じイメージの左右反転画像をサブＬＣＤ５上で見ることができる。
【００５５】
Ｓ２２は、カメラキー４１を押下する。当該押下に対応して、サブＬＣＤ５に左右反転画像を表示すると共に、メインＬＣＤ２にスルー画像を表示する。
【００５６】
以上のＳ２２などにより、撮影者５１が携帯端末１のカメラ６を構成するレンズを被撮影者５２に向けた状態で、カメラキー４１を押下すると、撮影者５１から見えるメインＬＣＤ２上に被撮影者を撮影したスルー画像が表示され、被撮影者５２から見えるサブＬＣＤ５上に左右反転画像が表示され、撮影者５１は被撮者の画像を観察でき、かつ被撮影者５２は自身が撮影された左右反転画像を観察できる。
【００５７】
Ｓ２３は、撮影者５１が携帯端末１のシャッタキー４２あるいは携帯端末１の側面に設けたシャッタ３を押下（操作）する。当該押下に対応して、サブＬＣＤ５に文字表示”表示中です”あるいは静止画を表示すると共に、メインＬＣＤ２に静止画を表示する。
【００５８】
以上のＳ２３などにより、撮影者５１が携帯端末１のカメラ６を構成するレンズを被撮影者５２に向けた状態で、シャッタキー４２あるいはシャッタ３を押下すると、撮影者５１から見えるメインＬＣＤ２上に被撮影者を撮影した静止画が表示され、被撮影者５２から見えるサブＬＣＤ５上に文字表示”表示中です”、あるいは左右反転させた静止画が表示され、撮影者５１は撮影した静止画を観察でき、かつ同時に被撮影者５２は撮影完了した文字表示あるいは左右反転した静止画を観察できる。
【００５９】
Ｓ２４は、撮影者５１がメインＬＣＤ２上に表示されている撮影した静止画を見て、撮影した画像を保存するか判別する。ＹＥＳの場合には、Ｓ２５に進む。ＮＯの場合には、保存しないと撮影者が決めたので、Ｓ２７に進む。
【００６０】
Ｓ２５は、Ｓ２４のＹＥＳで撮影者が撮影した静止画を保存すると決めたので、シャッタキー４２あるいはシャッタ３を押下して保存を指示する。当該指示に対応して、サブＬＣＤ５上に文字表示”表示中です”を表示あるいは文字表示”保存中です”を表示すると共に、メインＬＣＤ２上に文字表示”画像保存中です”を表示する。
【００６１】
Ｓ２６は、静止画像をメモリに保存する。
以上のＳ２４のＹＥＳ，Ｓ２５からＳ２６により、撮影者５１がメインＬＣＤ２上に表示された静止画を見て、保存すると決めた場合に、シャッタキー４２あるいはシャッタ３を押下すると、サブＬＣＤ５には”表示中です”あるいは”保存中です”、メインＬＣＤ２には”画像保存中です”と表示され、かつ内部メモリなどに静止画が保存されることとなる。
【００６２】
Ｓ２７は、Ｓ２４のＮＯで撮影者５１が撮影した静止画を保存しないと決めたので、クリアキー４７を押下してクリアを指示する。
【００６３】
Ｓ２８は、Ｓ２７でクリアが指示されたことに対応して、作業メモリ上の静止画をクリアする。
【００６４】
以上のＳ２４のＮＯ、Ｓ２７、Ｓ２８により、撮影者５１がメインＬＣＤ２上に表示された静止画を見て、保存しないと決めた場合に、クリアキー４７を押下すると、静止画がクリアされることとなる。
【００６５】
図６は、本発明の動作説明フローチャートを示す。図６は、サブＬＣＤ５はメインＬＣＤ２よりもサイズが小さいため、全部を表示できないので、ここでは、メインＬＣＤ２に表示される画像を縮小してサブＬＣＤ５に表示したり、切り出して一部をサブＬＣＤ５に表示したりするようにしたものである。尚、メインＬＣＤ２への表示は、既述した図５のフローチャートと同一であるので説明を省略する。
【００６６】
図６において、Ｓ４１は、カメラキー４１を押下する。当該押下に対応して、サブＬＣＤ５に文字表示”撮影中です”を表示する。
【００６７】
Ｓ４２は、カメラキー４１を押下する。当該押下に対応して、サブＬＣＤ５Ｉにスルー画像を表示する。
【００６８】
Ｓ４３は、縮小表示か判別する。ＹＥＳの場合には、Ｓ４４でサブＬＣＤ５に画像を縮小表示し、Ｓ４５に進む。一方、ＮＯの場合には、Ｓ４６でカレンダキー４６を押下し、Ｓ４７でサブＬＣＤ５に一部を切り出した画像を表示し、Ｓ４５に進む。
【００６９】
Ｓ４５は、シャッタキー４２あるいはシャッタ３を押下する。当該押下に対応して、サブＬＣＤ５に縮小あるいは切り出した静止画を表示する。
【００７０】
以上によって、被撮影者５２から見えるサブＬＣＤ５に必要に応じて、メインＬＣＤ２に表示される画像と同じ画像が表示されるように縮小して表示したり、あるいは一部を切り出して表示したり、任意に切り替えることが可能となる。
【００７１】
図７は、本発明のシステム構成図を示す。これは、既述した携帯端末１を携帯電話機に適用した場合のシステム構成図の例を示す。ここで、メインＬＣＤ２８，サブＬＣＤ３０が既述したメインＬＣＤ２，サブＬＣＤ５に対応する。
【００７２】
図７において、システムＬＳＩ１１は、ＬＳＩ化した回路部分を示し、下記１２から２１などから構成されるものである。
【００７３】
オーディオインタフェース部１２は、マイク２２からの信号を増幅したり、音声信号をレシーバ２３に送出して音声を発声させたりなどするものである。
【００７４】
音声コーデック部３は、音声を伝送し易くするコード化したり、コード化された音声データを音声に戻したりなどするものである。
【００７５】
ＴＤＭＡ部１４は、音声データ、画像データ、文字データなどを所定の形式に変換したり、所定の形式から復調したりなどするものである。
【００７６】
変調部１５は、ＴＤＭＡ部１４からの信号を変調して送信部１６に渡すものである。
復調部２０は、受信部１８で受信された信号を復調するものである。
【００７７】
ＣＰＵ部２１は、図示外のＲＯＭに格納されたプログラムに従い各種処理を実行すると共に、全体を統括制御するものである。
【００７８】
送信部１６は、変調部１５から渡された信号について基準発振器１９からの基準周波数信号をもとに送信用の信号にし、ＳＷ１７を経由してアンテナ７に送出し、電波として送信するものである。
【００７９】
受信部１８は、アンテナ７で受信された微弱信号をＳＷ１７を経由して取り込んで増幅し、基準発振器１９からの信号をもとに特定の信号を抽出（受信）するものである。
【００８０】
基準発振器１９は、基準となる周波数信号を発振するものであって、例えば水晶発振器である。
【００８１】
電源部／電源制御部３５は、電池３６からの電源をもとに各部に電源を供給したり、図示外のＡＣアダプタから電源が供給されたときに電池３６を充電および各部に電源を供給したりなどの制御を行ったりするものである。
【００８２】
マイク２２は、発声された音声を電気信号に変換するものである。
レシーバ２３は、音声の電気信号の音声に変換するものである。
【００８３】
メモリ部２５は、各種データ（画像データ、静止画データ、電話番号など）を記憶するものである。
【００８４】
メインＬＣＤコントローラ部２６は、メインＬＣＤ２８への画像や文字の表示を制御するものである。
【００８５】
メインＬＣＤドライバ部２７は、メインＬＣＤ２８への画像や文字を表示するように駆動するものである。  
【００８６】
メインＬＣＤ２８は、画像や文字を表示するものであって、既述した図１などのメインＬＣＤ２に対応するものである。
【００８７】
サブＬＣＤコントローラ／ドライバ部２９は、サブＬＣＤ３０に画像や文字の表示を制御するものである。
【００８８】
サブＬＣＤ３０は、画像や文字を表示するものであって、既述した図１などのサブＬＣＤ５に対応するものである。
【００８９】
カメラ信号処理部３１は、カメラセンサを制御して画像を取り込むものである。
カメラ部３２は、カメラセンサ（例えばＣＣＤ）および図示外のレンズと自動焦点合わせ機構、自動絞り機構などから構成されるものであって、被撮影者５２を撮影して画像を生成するものである。
【００９０】
キーボード部３３は、シャッタキー１、カメラキーなどの操作キー、更に文字や数字を入力するテンキーなどから構成されるものであって、既述した図１の入力装置４に相当するものである。
【００９１】
側面スイッチ３４は、携帯装置１の側面に設けたスイッチであって、既述した図１のシャッタキー３などである。
【００９２】
尚、本実施例の説明では、カメラ５の起動、撮影、保存時に、携帯端末１を開いた状態で入力装置４を構成するカメラキー４１、シャッタキー４２、カレンダキー４６などを使用して起動などしたがこれは１例であって、当該入力装置４を構成する他のキーを使用して起動などしてもよいし、また、これら入力装置４を構成するキーによらず、携帯端末１の側面に設けたシャッタ３のように別に設けた各種操作キー、スイッチ、スライドスイッチなどを設けて起動などしてもよい。
【産業上の利用可能性】
【００９３】
本発明は、携帯端末で相手を撮影するときに相手側から見える第１の画面に鏡に写ったように画像を表示あるいは撮影状態を表すステータスを表示すると共に、撮影者から見える第２の画面に画像を表示し、撮影時に被撮影者が撮影される画像や撮影状態の確認を可能に携帯端末に関するものである。
【図面の簡単な説明】
【００９４】
【図１】本発明の概観図である。
【図２】本発明の画面例である。
【図３】本発明の表示画像イメージ図（上から見た図）である。
【図４】本発明の動作説明フローチャートである。
【図５】本発明の他の動作説明フローチャートである。
【図６】本発明の動作説明フローチャートである。
【図７】本発明のシステム構成図である。
【符号の説明】
【００９５】
１：携帯端末
２，２８：メインＬＣＤ
３：シャッタ
４：入力装置
４１：カメラキー
４２：シャッタキー
４３：メニューキー
４４：電話帳キー
４５：開始キー
４６：カレンダキー
４７：クリアキー
４８：電源キー
５，３０：サブＬＣＤ
６：カメラ
７：アンテナ
５１：撮影者
５：被撮影者
１１：システムＬＳＩ
３２：カメラ部
【図１】
2007143169.tif 000003
【図２】
2007143169.tif 000004
【図３】
2007143169.tif 000005
【図４】
2007143169.tif 000006
【図５】
2007143169.tif 000007
【図６】
2007143169.tif 000008
【図７】
2007143169.tif 000009